(57)【要約】【構成】調理済み食品を盛り付けてなる皿２を複数枚数積み重ねることができ、皿２の縁に把持することができる皿クリップ部１００と皿２の載せ部１０１とを備えてなる調理済み食品の盛り付け皿の積み重ね具１。【効果】調理済み食品の多数の盛り付け皿の積み重ねが可能で調理済みの食品とその上部の皿の底面との間の接触が回避されて調理済みの食品を崩したりすることがなく、冷蔵庫に設置するときにも効率的に収納でき、皿と皿との間に必要・充分な間隔を採れるので盛り付けされた食品（料理）の確認が容易で、調理済み食品の盛り付け皿を設置するときにも容易に盛り付け皿を持って移動させたりあるいは収納したりすることができ、その構成上使用皿のサイズに左右されない利点がある。【選択図】図１
0003130967.tif 000002
【実用新案登録請求の範囲】
【請求項１】
調理済み食品を盛り付けてなる皿を複数枚数積み重ねることができ、当該皿の縁に把持することができる皿クリップ部と当該皿の載せ部とを備えてなることを特徴とする調理済み食品の盛り付け皿の積み重ね具。
【考案の詳細な説明】
【技術分野】
【０００１】
本考案は、調理済み食品の盛り付け皿の積み重ね具に関するものである。
【背景技術】
【０００２】
食品を調理してお皿に盛り付けた時に、複数のお皿に個々に盛り付けられることがあり、そうした時に、テ−ブルなどの台上に、スペ−スの関係で、多数の当該調理済み食品の盛り付け皿を置くことは通常の場合困難で、そこで、積み重ねようとしても、当該調理済み食品が上部の皿の底面に接触して、せっかくの調理済みの食品を崩してしまったりすることがある。
又、食品の冷蔵・冷凍の為に、当該調理済み食品の盛り付け皿を冷蔵庫などに設置するときにも、同様に、スペ−スの関係で、多数の当該調理済み食品の盛り付け皿を置くことは通常の場合困難で、積み重ねようとしても、当該調理済み食品が上部の皿の底面に接触して、せっかく調理済みの食品を崩してしまったりして、通常、効率的に当該調理済み食品の盛り付け皿を置き収納することは困難である。
更に、よしんば、テ−ブルなどの台上に、多数の当該調理済み食品の盛り付け皿を積み重ねられたとしても、皿と皿との間に必要な間隔を採れないことが多く、そうすると、盛り付けされた食品（料理）の確認が容易には採ることができない。
更に又、当該調理済み食品の盛り付け皿を冷蔵庫の中やテ−ブルなどの台上に設置するときに、盛り付けされた皿の縁（端部）をもって作業することは、以外に重く、滑ったりさせ当該皿を落下させてしまうことがある。
従来、皿枠と称する枠体により、調理済み食品の盛り付け皿を積み重ねることが行われていたが、当該皿枠は、使用皿のサイズに左右されるという欠点があった。
【考案の開示】
【考案が解決しようとする課題】
【０００３】
本考案は、上記従来技術の有する欠点を解消することができる技術を提供することを目的としたものである。
本考案の他の目的や新規な特徴については本件明細書及び図面の記載からも明らかになるであろう。
【課題を解決するための手段】
【０００４】
本考案の実用新案登録請求の範囲は、次の通りである。
（請求項１）調理済み食品を盛り付けてなる皿を複数枚数積み重ねることができ、当該皿の縁に把持することができる皿クリップ部と当該皿の載せ部とを備えてなることを特徴とする調理済み食品の盛り付け皿の積み重ね具。
【考案の効果】
【０００５】
本考案によれば、調理済み食品の多数の盛り付け皿の積み重ねが可能で、上下に積み重ねられた調理済み食品の盛り付け皿において、調理済みの食品とその上部の皿の底面との間の接触が回避されて、調理済みの食品を崩したりすることがなく、食品の冷蔵・冷凍の為に、当該調理済み食品の盛り付け皿を冷蔵庫などに設置するときにも、多数の当該調理済み食品の盛り付け皿を調理済みの食品と皿との間の接触がなく効率的に収納でき、又、皿と皿との間に必要・充分な間隔を採れるので、盛り付けされた食品（料理）の確認が容易で、調理済み食品の盛り付け皿が多数積み重ねられていても、盛り付けされた食品（料理）の確認を容易に採ることができる。
更に、本考案によれば、クリップ部の存在などから、調理済み食品の盛り付け皿を冷蔵庫の中やテ−ブルなどの台上に設置するときに、容易に盛り付け皿を持って移動させたりあるいは収納したりすることができ、盛り付けされた皿を過って落下させたりすることを回避することができる。
更に又、本考案によれば、その構成上使用皿のサイズに左右されず、この点、従来の皿枠がその使用皿のサイズにより左右されるという欠点を解消することができた。
【考案を実施するための最良の形態】
【０００６】
次に、本考案の実施例を図面に基づいて説明する。
【実施例】
【０００７】
実施例
本考案の調理済み食品の盛り付け皿の積み重ね具１は、図１及び図２に示すように、皿２の縁に把持することができる皿クリップ部１００と皿２の載せ部１０１とを備えてなる。
図示のように、皿２を複数枚数積み重ねることができ、図２に示すように、調理済み食品３を盛り付けてなる皿２を、図１に示すように２枚、又、図３に示すように、３枚など２枚以上の複数枚数を積み重ねることができる。
当該皿クリップ部１００としては、例えば、洗濯ものの乾燥時に布地の一部を固定し、風などによって持ちさられないようにするときに使用する洗濯ばさみ様に構成したもの、文房具や電子部品として使用されるクリップ様に構成したものなどが挙げられる。当該皿クリップ部１００は、皿２の縁に把持する為にその中央などにバネ（図示省略）を有してなる。
当該皿クリップ部１００であって文房具として使用されるクリップとしては、紙を挟み込む為に使用される針金などを曲げて作られるゼムクリップ、目玉クリップ、タ−ンクリップなどが挙げられ、一方、当該皿クリップ部１００であって電子部品として使用されるクリップとしては、端子やリード線を挟んで接続する為の本体にポリ塩化ビニ−ルなどの覆いを被覆したみの虫クリップ、端子やリード線を挟んで接続する為の本体がむき出しになったワニグチクリップ、ＩＣ（半導体装置）の足などの細いリード線を挟んで回路の測定を行う目的などに用いるＪ型の曲がった先端部分を持つＩＣクリップなどが挙げられる。
皿２の載せ部１０１は、例えば、図示のように球体に構成される。半円型や四角などの直方体などに構成されていてもよい。
当該皿クリップ部１００と皿２の載せ部１０１とは、その機能上、一体化されていることが好ましいが、当該皿クリップ部１００と皿２の載せ部１０１とを独立させ、当該皿２の載せ部１０１を当該皿クリップ部１００から着脱自在にしてもよい。
当該皿クリップ部１００の構成如何により当該皿２の載せ部１０１を省略してもよい。
【０００８】
本考案の調理済み食品の盛り付け皿の積み重ね具１は、プラスチック製、金属製などの材質により構成される。
【０００９】
使用される皿は、図示のような深みを有する皿が機能上好ましいが、平皿にも適用できる。本考案によれば、使用される皿のサイズに左右されずに、安定して皿を積み重ねることができる。
【００１０】
本考案によれば、調理済み食品の多数の盛り付け皿２の積み重ねが可能で、上下に積み重ねられた調理済み食品の盛り付け皿２において、調理済みの食品３とその上部の皿２の底面との間の接触が回避されて、調理済みの食品３を崩したりすることがなく、食品の冷蔵・冷凍の為に、当該調理済み食品の盛り付け皿２を冷蔵庫などに設置するときにも、多数の当該調理済み食品の盛り付け皿２を調理済みの食品３と皿２との間の接触がなく効率的に収納でき、場所をとらず、又、皿と皿との間に必要・充分な間隔を採れるので、盛り付けされた食品（料理）の確認が容易で、調理済み食品の盛り付け皿２が多数積み重ねられていても、盛り付けされた食品（料理）３の確認を容易に採ることができる。
更に、本考案によれば、クリップ部１００の存在などから、調理済み食品の盛り付け皿２を冷蔵庫の中やテ−ブルなどの台上に設置するときに、容易に盛り付け皿２を持って移動させたりあるいは収納したりすることができ、盛り付けされた皿２を過って落下させたりすることを回避することができる。
【００１１】
本考案は上記実施例に限定されず、適宜変更が可能である。
【産業上の利用可能性】
【００１２】
本考案は、各種の調理済み食品に適用される。又、本考案は、皿を積み重ねる場合、調理済みでない食品が置かれた皿を積み重ねる場合にも適用される。
【図面の簡単な説明】
【００１３】
【図１】本考案の実施例を示す調理済み食品の盛り付け皿の積み重ね具の構成図である。
【図２】本考案の実施例を示す調理済み食品の盛り付け皿の積み重ね具の使用説明図である。
【図３】本考案の実施例を示す調理済み食品の盛り付け皿の積み重ね具の平面図である。
【符号の説明】
【００１４】
１    調理済み食品の盛り付け皿の積み重ね具
２    皿
３    調理済み食品
１００  皿クリップ部
１０１  皿の載せ部
【図１】
0003130967.tif 000003
【図２】
0003130967.tif 000004
【図３】
0003130967.tif 000005